(57)【要約】  空調管理装置（３００）は、複数の空調機器（１００）と相互に通信可能に接続され、複数の空調機器（１００）それぞれを操作するリモコン（１１０）と、これに接続される空調機器（１００）を示す接続情報を記憶する記憶部と、複数の空調機器（１００）のそれぞれが無駄運転状態であるか否かを判定する無駄運転判定部と、少なくとも一つの空調機器（１００）が無駄運転状態であると判定された場合に、接続情報に基づいてその空調機器（１００）に接続されるリモコン（１１０）にその空調機器が無駄運転状態であることを通知する無駄運転通知部を備える。
2012101787.tif 000002
【特許請求の範囲】
【請求項１】
複数の空調機器と相互に通信可能に接続される空調管理装置であって、
前記複数の空調機器それぞれを操作するリモコンと、該リモコンに接続される前記空調機器を示す接続情報を記憶する記憶部と、
前記複数の空調機器のそれぞれが無駄運転状態であるか否かを判定する無駄運転判定部と、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部と、
を備える空調管理装置。
【請求項２】
前記記憶部は、前記複数の空調機器が設置されているそれぞれの部屋の室内温度と前記複数の空調機器それぞれの設定温度を記憶し、
前記無駄運転判定部は、前記記憶部で記憶された前記室内温度と前記設定温度との差に基づいて前記空調機器が無駄運転状態であるか否かを判定する、
請求項１に記載の空調管理装置。
【請求項３】
前記無駄運転判定部は、前記室内温度と前記設定温度との差が所定の閾値以上である期間が所定期間以上継続した場合に、前記空調機器が無駄運転状態であると判定する、
請求項２に記載の空調管理装置。
【請求項４】
前記記憶部は、前記複数の空調機器が設置されるフロアの平面図と、該平面図上における該空調機器それぞれの設置位置を示す空調機器位置情報と、該平面図上における複数の扉及び／又は複数の窓の位置を示す扉窓位置情報を記憶し、
前記無駄運転判定部は、前記記憶部で記憶された前記空調機器位置情報と前記扉窓位置情報とに基づいて、無駄運転状態であると判定した前記空調機器が無駄運転状態となる程度の位置に配置されている扉及び／又は窓の位置を特定し、
前記無駄運転通知部は、前記無駄運転判定部で特定された扉及び／又は窓の位置をさらに通知する、
請求項１乃至３のいずれか１項に記載の空調管理装置。
【請求項５】
前記記憶部は、前記複数の空調機器と前記複数の扉と前記複数の窓のそれぞれを、設置されるエリア毎にグループ化したエリア設定データをさらに記憶し、
前記無駄運転判定部は、前記記憶部で記憶されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉又は窓の位置を前記空調機器位置情報と前記扉窓位置情報とに基づいて特定する、
請求項４に記載の空調管理装置。
【請求項６】
前記記憶部は、前記平面図中の複数のエリアそれぞれの位置を示す座標群を含む部屋領域情報をさらに記憶し、
前記空調管理装置は、
前記部屋領域情報と前記空調機器位置情報と前記扉窓位置情報とに基づいて、前記部屋領域情報により示される複数のエリア毎にそれぞれ存在する前記空調機器と前記扉及び／又は窓を特定し、特定した前記空調機器と前記扉及び／又は窓を前記エリアに対応付けて前記エリア設定データを導出するエリア設定導出部をさらに備える、
請求項５に記載の空調管理装置。
【請求項７】
前記平面図の各画素の色相に基づいて背景色を特定し、前記特定した背景色との差が閾値以上である画素群の座標を前記エリアの領域の座標群として前記部屋領域情報を導出し、前記平面図中の予め記憶されている画像と色相が等しい画素の位置を前記扉及び／又は窓の位置として前記扉窓位置情報を導出する部屋情報導出部をさらに備える、
請求項６に記載の空調管理装置。
【請求項８】
複数の空調機器と相互に通信可能に接続される空調管理装置による空調管理方法であって、
前記複数の空調機器それぞれを操作するリモコンと、該リモコンに接続される前記空調機器を示す接続情報を取得する取得ステップと、
前記複数の空調機器のそれぞれが無駄運転状態であるか否かを判定する無駄運転判定ステップと、
前記無駄運転判定ステップで前記複数の空調機器の少なくとも一つが無駄運転状態であると判定された場合に、前記取得ステップで取得される接続情報に基づいて、該空調機器に接続される前記リモコンに該空調機器が無駄運転状態であることを通知する無駄運転通知ステップと、
を備える空調管理方法。
【請求項９】
複数の空調機器と相互に通信可能に接続されるコンピュータを、
前記複数の空調機器それぞれを操作するリモコンと、該リモコンに接続される前記空調機器を示す接続情報を記憶する記憶部、
前記複数の空調機器のそれぞれが無駄運転状態であるか否かを判定する無駄運転判定部、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部、
として機能させるプログラム。
【発明の詳細な説明】
【技術分野】
【０００１】
本発明は、空調管理装置、空調管理方法、およびプログラムに関する。
【背景技術】
【０００２】
一般的に、ビル内の温度や湿度を調整するために空調機器が用いられている。空調機器は、設定された温度や湿度になるように空調機器の出力が自動的に制御されている。ビル内には多数の空調機器が設置され、これらを一カ所で集中して監視することが行われる。【０００３】
近年、空調機器の省電力化が求められている。しかしながら、窓やドアが開放されている状態などでは、空調機器により暖められ、あるいは冷やされた空気が逃げてしまう。これにより空調機器は、設定温度となるように、より出力を高めて、またはより長い時間、運転されることとなるため、電力を無駄に消費する無駄運転状態となり、省電力化が妨げられてしまう。このため、空調機器の無駄運転を抑止して省電力化を促進するための様々な提案がなされている。【０００４】
例えば特許文献１には、空調機器の膨張弁の開度とその開度の継続時間から空調機器の無駄運転を判断し、ビルの管理者やサービスマンに報知する空調機器の監視装置が開示されている。
【先行技術文献】
【特許文献】
【０００５】
【特許文献１】特開２００６−３３６９０１号公報
【発明の概要】
【発明が解決しようとする課題】
【０００６】
しかしながら、特許文献１に記載の監視装置では、無駄運転の要因となっている窓やドアの位置を推定することが困難である。さらに、居住者に無駄運転を報知しないため、居住者に無駄運転防止の意識を喚起させることも困難であり、無駄運転に対して迅速に対応することができない。したがって無駄運転を早期に解消しつつ省電力化を促進するという観点からみると未だ十分ではない。【０００７】
この発明は、上記実情に鑑みてなされたものであり、無駄運転の早期解消に寄与し、省電力化を促進することができる空調管理装置、空調管理方法、およびプログラムを提供することを目的とする。
【課題を解決するための手段】
【０００８】
上記目的を達成するために、本発明に係る空調管理装置は、
複数の空調機器と相互に通信可能に接続される空調管理装置であって、
前記複数の空調機器それぞれを操作するリモコンと、該リモコンに接続される前記空調機器を示す接続情報を記憶する記憶部と、
前記複数の空調機器のそれぞれが無駄運転状態であるか否かを判定する無駄運転判定部と、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部と、
を備える。
【発明の効果】
【０００９】
本発明によれば、無駄運転の早期解消に寄与し、空調機器の省電力化を促進することができる。
【図面の簡単な説明】
【００１０】
【図１】本発明の実施形態１に係る空調管理装置を中心とする空調管理システムの構成を示すブロック図である。
【図２】図１の空調管理装置が保持するエリア設定データの一例を示す図である。
【図３】図１の空調管理装置が備える表示部に表示される空調機器の監視画面の一例を示す図である。
【図４】図１の空調管理装置が領域内に存在する空調機器を判定する手法を説明するための図である。
【図５】図１の空調管理装置が無駄運転の要因となっている扉や窓の位置を特定する手法を説明するための図である。
【図６】図１の空調管理装置が実行する空調管理処理の一手順を示すフローチャートである。
【図７】図１の空調管理装置が実行するエリア設定データ作成処理の一手順を示すフローチャートである。
【図８】図１の空調管理装置が実行する無駄運転判別処理の一手順を示すフローチャートである。
【図９】図１の空調管理装置が実行する無駄運転通知処理の一手順を示すフローチャートである。
【図１０】本発明の実施形態２に係る空調管理装置を中心とする空調管理システムの構成を示すブロック図である。
【図１１】図１０の空調管理装置が部屋領域情報を生成する手法を説明するための図である。
【図１２】図１０の空調管理装置が実行する情報生成処理の一手順を示すフローチャートである。
【図１３】図１０の空調管理装置が実行する部屋領域情報生成処理の一手順を示すフローチャートである。
【図１４】図１０の空調管理装置が実行する扉窓位置情報生成処理の一手順を示すフローチャートである。
【発明を実施するための形態】
【００１１】
この発明の実施形態について、図面を参照して詳細に説明する。
【００１２】
（実施形態１）
本実施形態では、本発明に係る空調管理装置を備える空調管理システムを例に説明する。なお、無駄運転とは、窓やドアが開放されていることにより、窓やドアが開放されていないときと比べて空調機器が、設定温度となるようにより出力を高めて、またはより長い時間、電力を無駄に消費して運転されることをいう。また、無駄運転状態とは、窓やドアが開放されていることにより、空調機器が電力を無駄に消費して運転されている状態をいう。
【００１３】
図１に示すように、空調管理システム１０は、複数の空調機器１００と空調管理装置３００とを備えている。各空調機器１００と空調管理装置３００は、専用通信線２００により相互に通信可能に接続される。各空調機器１００には、それぞれの空調機器１００の操作端末であるリモコン１１０が相互に通信可能に接続される。なお、空調管理装置３００は、各空調機器１００だけでなく、圧縮機等を有する図示しない熱源側ユニット（室外機）とも専用通信線２００により相互に通信可能に接続される。
【００１４】
空調機器１００は、例えば建物内の空気調和を行う機器（室内機）であり、温度センサ１０２と、主記憶部１０３と、補助記憶部１０４と、制御部１０５と、通信部１０６と、システムバス１０７とを備えている。空調機器１００は、温度センサ１０２により測定された温度が、後述する空調管理装置３００またはリモコン１１０により決定された設定温度になるように制御される（以下、空気調和運転と称する）。
【００１５】
温度センサ１０２は、空調機器１００が設置された部屋の温度を測定するセンサである。温度センサ１０２により測定された温度は、室内温度情報として制御部１０５および通信部１０６に送信される。
【００１６】
主記憶部１０３は、ＲＡＭ（Random Access Memory）等を含んで構成され、後述するＣＰＵの作業領域として用いられる。
【００１７】
補助記憶部１０４は、ＲＯＭ（Read Only Memory）、磁気ディスク、半導体メモリ等の不揮発性メモリを含んで構成されている。この補助記憶部１０４には、制御部１０５が処理を行うために必要なデータやパラメータ、図示しないプログラムが記憶されている。また、補助記憶部１０４には、空調機器１００の運転・停止状態や、冷房や暖房等の運転モード、設定温度や室内温度等の運転状態を示す運転状態データが格納される。
【００１８】
制御部１０５は、ＣＰＵ（Central Processing Unit）等から構成される。制御部１０５は、図示しないプログラムに従って動作し、温度センサ１０２により測定された温度が後述する空調管理装置３００またはリモコン１１０により決定された設定温度になるように、空気調和運転を行う。また、制御部１０５は、定期的（例えば１分毎）に空調機器１００の運転状態データを取得して補助記憶部１０４へ格納する。
【００１９】
通信部１０６は、シリアルインタフェース、或いはアナログ信号を受信するためのアナログインタフェースを有している。後述する空調管理装置３００またはリモコン１１０から送信される情報は、通信部１０６によって受信され、システムバス１０７を介して、後述するＣＰＵへ送信される。また、通信部１０６は、温度センサ１０２で測定された温度を示す室内温度情報、リモコン１１０から送信される操作情報、補助記憶部１０４に格納されている運転状態データを、後述する空調管理装置３００へ送信する。
【００２０】
リモコン１１０は、当該リモコン１１０に接続される空調機器１００をユーザが操作するための端末で、表示装置１１１と、入力装置１１２を備えている。
【００２１】
表示装置１１１は、当該リモコン１１０に接続される空調機器１００の運転状態等をユーザに表示する。
【００２２】
入力装置１１２は、タッチパネルや複数のボタン等で構成される。このボタンやタッチパネルがユーザにより操作されることに応じて、入力装置１１２は各種操作内容を示す操作情報を、当該リモコン１１０に接続される空調機器１００に送信する。ここで、各種操作内容には、例えば、空調機器１００における、運転・停止、運転モードの変更、設定温度や風向、風速の変更等の操作が含まれる。
【００２３】
空調管理装置３００は、接続される複数の空調機器１００を統合的に制御および管理する装置であり、具体的には、各空調機器１００について無駄運転の判定処理や通知処理を含む空調管理処理を行う。空調管理装置３００は、主記憶部３４５と、補助記憶部３５０と、表示部３１０と、入力部３２０と、通信管理部３３０と、制御部３４０と、上記各部を相互に接続するシステムバス３９９を備えている。
【００２４】
主記憶部３４５は、ＲＡＭ等を含んで構成され、後述するＣＰＵの作業領域として用いられる。
【００２５】
補助記憶部３５０は、ＲＯＭ、磁気ディスク、半導体メモリ等の不揮発性メモリを含んで構成されている。この補助記憶部３５０には、制御部３４０が処理を行うために必要なデータやパラメータ、空調管理プログラム３５５が記憶されている。具体的に補助記憶部３５０には、制御部３４０により行われる処理に必要なデータやパラメータとして、空調機器データ３６０と、エリア設定データ３７０と、設置位置データ３８０と、無駄運転判定設定データ３９０とが記憶されている。
【００２６】
空調管理プログラム３５５は、空調管理機能を実現するための一連の動作が記述されたプログラムである。
【００２７】
空調機器データ３６０には、空調機器接続情報３６１、空調機器運転状態データ３６２が含まれる。
【００２８】
空調機器接続情報３６１は、空調管理装置３００が管理する空調機器１００のアドレス番号、空調機器１００を識別する空調機器識別情報とこの空調機器１００に接続されるリモコン１１０とを対応付ける操作グループ番号、空調機器１００の機種を識別する識別情報等のデータである。
【００２９】
空調機器運転状態データ３６２は、各空調機器１００の運転・停止状態や、冷房や暖房等の運転モード、設定温度や室内温度等の状態データである。各空調機器１００から運転状態データを受信する度に、受信した運転状態データにより示される内容が制御部３４０の処理により空調機器運転状態データ３６２として補助記憶部３５０に登録される。
【００３０】
エリア設定データ３７０は、図２に示すように、空調管理装置３００により管理されている空調機器１００を示す空調機器識別情報と、フロア内の扉や窓を示す扉窓識別情報とを、部屋毎にグループ化したデータである。一つのエリア情報がビル内の一つの部屋に対応している。なお、エリア設定データ３７０は、後述する制御部３４０の処理により作成され、補助記憶部３５０に格納される。
【００３１】
図１に戻り、設置位置データ３８０には、平面図情報３８１、空調機器設置位置情報３８２、部屋領域情報３８３、及び、扉窓位置情報３８４、が含まれる。
【００３２】
平面図情報３８１は、ビル内の各フロアの平面図を示す画像データである。この画像データはパソコン等で作成した画像を空調管理装置３００で読み込んで利用してもよいし、空調管理装置３００により作成できるようにしてもよい。本実施形態では、パソコン等で作成された画像が予め読み込まれ、平面図情報３８１として記憶されているものとする。
【００３３】
空調機器設置位置情報３８２には、空調機器１００が設置されている建物を示す建物番号や空調機器１００が設置されているフロアを示すフロア番号、及び、平面図情報３８１により示される平面図上のどの位置に空調機器１００が設置されているかを示す座標（空調機器設置座標）（ｘ方向、ｙ方向）データが含まれる。
【００３４】
部屋領域情報３８３には、平面図情報３８１により示される平面図上のどの領域に部屋が存在するかを示す座標群（部屋領域特定座標群）（ｘ方向、ｙ方向）データや領域を識別するエリア情報が含まれる。
【００３５】
扉窓位置情報３８４には、平面図情報３８１により示される平面図上のどの位置に扉や窓が設置されているかを示す座標（扉窓設置座標）（ｘ方向、ｙ方向）データが含まれる。
【００３６】
無駄運転判定設定データ３９０には、制御部３４０の処理により無駄運転の有無を判定するために用いられる閾値が含まれる。閾値には、温度閾値３９１と無駄運転カウンタ閾値３９２とが含まれる。
【００３７】
表示部３１０は、図３に示すように、後述する制御部３４０により行われる処理に基づいて、専用通信線２００を介して受信した各空調機器１００の運転状態等を表示する。具体的には、平面図情報３８１に含まれるビル内のフロアの平面図が表示部３１０に表示され、この平面図上に、空調機器１００の監視又は操作に用いられる空調機器アイコン４００、及び部屋の領域を示す部屋領域ライン４０１、扉アイコン４０２、窓アイコン４０３がそれぞれ表示される。各アイコンの表示位置は、空調機器設置位置情報３８２、部屋領域情報３８３、扉窓位置情報３８４によりそれぞれ指定される位置である。
【００３８】
空調機器アイコン４００は、空調機器１００の運転や停止、異常等の運転状態を色やマークで表示する。また、空調機器アイコン４００が表示される位置は、空調機器設置位置情報３８２で指定される位置である。
【００３９】
部屋領域ライン４０１は、実線や破線、網掛け等で平面図上の部屋の領域を表示する。部屋領域ライン４０１が表示される位置は、部屋領域情報３８３で指定される位置である。
【００４０】
扉アイコン４０２は、フロア内の扉部分を色やマークで表示する。窓アイコン４０３は、同様にフロア内の窓部分を色やマークで表示する。これらが表示される位置は、扉窓位置情報３８４で指定される位置である。
【００４１】
図１に戻り、入力部３２０は、タッチパネルや複数のボタン等で構成される。このボタンやタッチパネルがユーザにより操作されることに応じて、入力部３２０は、操作された内容を示す操作内容情報を、制御部３４０に送信する。ここで操作内容情報には、監視画面の切り替え、空調機器１００の操作指示を示す指示内容、各種設定内容等が含まれる。
【００４２】
通信管理部３３０は、シリアルインタフェース、或いはアナログ信号を受信するためのアナログインタフェースを有している。各空調機器１００から送信される情報は、通信管理部３３０によって受信され、システムバス３９９を介して、後述するＣＰＵへ送信される。
【００４３】
制御部３４０は、ＣＰＵ等から構成される。制御部３４０は、空調管理プログラム３５５に従って動作し、空調機器１００を制御、管理するための様々な処理を行う空調管理機能を提供する。制御部３４０は、空調管理プログラム３５５により提供される主要な機能部として、空調機器制御部３４１と、エリア設定導出部３４２と、無駄運転判定部３４３と、無駄運転通知部３４４とを備えている。
【００４４】
空調機器制御部３４１は、入力部３２０に入力された操作内容情報により示される指示内容及び各空調機器１００から受信した室内温度情報により示される温度に従って、各空調機器１００の空気調和運転を制御する。
【００４５】
エリア設定導出部３４２は、予め記憶されている空調機器設置位置情報３８２、部屋領域情報３８３、扉窓位置情報３８４に基づいて、図２に示すエリア設定データ３７０を作成する。
【００４６】
具体的には、エリア設定導出部３４２は、部屋領域情報３８３により示される領域毎に、当該領域内に設置されている空調機器１００、扉、窓、を判定し、これらを対応付けてエリア設定データ３７０を作成する。判定については、図４に示すように、平面図情報３８１に示される平面図上の角の位置を示す座標（例えば（０，０））と、空調機器設置位置情報３８２により示される当該フロアに対応する空調機器１００の空調機器設置座標（例えば、（ｘｉ，ｙｉ））とを結ぶ線分が、部屋領域情報３８３により示される各領域を形成する全ての線分（例えば、座標（Ｘ０，Ｙ０）と座標（Ｘ０，Ｙ１）を結ぶ線分等）と交差するか否かを判別することにより行う。
【００４７】
例えば、座標（ａ，ｂ）と座標（ｃ，ｄ）を結ぶ線分と、座標（Ａ，Ｂ）と座標（Ｃ，Ｄ）を結ぶ線分が交差するか否かを判別するには、ａ＋ｓ（ｃ−ａ）＝Ａ＋ｔ（Ｃ−Ａ）と、ｂ＋ｓ（ｄ−ｂ）＝Ｂ＋ｔ（Ｄ−Ｂ）で表される方程式から値ｓを算出し、０＜ｓ≦１であれば交差していると判別する。交差すると判定した場合、エリア設定導出部３４２は、領域ごとにその数（交差数）をカウントする。そして交差数が奇数の場合、エリア設定導出部３４２は、当該空調機器１００は当該領域内に存在すると判定する。
【００４８】
当該空調機器１００が領域内に存在すると判定した場合、エリア設定導出部３４２は、部屋領域情報３８３により示されるエリア情報のうち、当該領域に対応するエリア情報と当該空調機器１００を対応付ける。同様に、エリア設定導出部３４２は、扉窓位置情報３８４により示される扉窓設置座標と平面図情報３８１に示される平面図上の角の位置を示す座標とを結ぶ線分に基づいて、窓や扉が部屋領域情報３８３により示される各領域内に存在するか否かを判定する。そしてエリア設定導出部３４２は、領域内に存在すると判定した場合、当該扉や窓を部屋領域情報３８３により示されるエリア情報と対応付ける。
【００４９】
エリア設定導出部３４２は、このような処理を空調機器設置位置情報３８２により示される空調機器１００毎、扉窓位置情報３８４により示される扉や窓毎に繰り返し行い、エリア毎にグループ化した図２に示すエリア設定データ３７０を作成する。また、エリア設定導出部３４２は、作成したエリア設定データ３７０を補助記憶部３５０へ格納する。
【００５０】
図１に戻り、無駄運転判定部３４３は、エリア設定導出部３４２で作成されたエリア設定データ３７０と空調機器運転状態データ３６２に基づいて、空調機器１００毎に無駄運転の有無を判定する。また、無駄運転判定部３４３は、エリア設定データ３７０と部屋領域情報３８３と扉窓位置情報３８４に基づいて、無駄運転の要因となっている扉や窓、及びその位置を推定する。
【００５１】
まず、無駄運転判定部３４３による無駄運転の有無を判定する処理について説明する。無駄運転判定部３４３は、定期的（例えば、１分毎）に、空調管理装置３００が管理している各空調機器１００から運転状態データを取得し、空調機器１００毎に空調機器運転状態データ３６２として登録する。無駄運転判定部３４３は、空調機器運転状態データ３６２に含まれる室内温度と設定温度との差分絶対値を空調機器１００毎に算出し、無駄運転判定設定データ３９０に含まれる温度閾値３９１と比較する。
【００５２】
比較の結果、算出した差分絶対値が温度閾値３９１を超えており、かつ空調機器運転状態データ３６２により当該空調機器１００が運転状態であると示される場合、無駄運転判定部３４３は、当該空調機器１００に対応する図示しない無駄運転カウンタをインクリメントする。一方、温度閾値３９１以下、あるいは空調機器運転状態データ３６２により当該空調機器１００が運転状態であると示されていない場合、無駄運転判定部３４３は、当該空調機器１００に対応する図示しない無駄運転カウンタを０にリセットする。なお、無駄運転カウンタは初期値として０が設定されている。
【００５３】
無駄運転判定部３４３は、当該空調機器１００に対応する無駄運転カウンタが無駄運転判定設定データ３９０に含まれる無駄運転カウンタ閾値３９２を超えたか否か判定する。そして無駄運転判定部３４３は、無駄運転カウンタ閾値３９２を超えたと判定した場合、当該空調機器１００が無駄運転状態であると判別し、無駄運転カウンタを０にリセットする。無駄運転判定部３４３は、この処理を各空調機器１００について行い、無駄運転カウンタと無駄運転カウンタ閾値３９２とを比較して無駄運転状態であるか否かを判別する。
【００５４】
次に、無駄運転判定部３４３による無駄運転の要因となっている扉や窓、及びその位置を推定する処理について説明する。
【００５５】
無駄運転判定部３４３は、エリア設定導出部３４２で作成されたエリア設定データ３７０を読み込み、無駄運転状態であると判定した空調機器１００を示す空調機器識別情報に対応するエリア情報を特定する。そして無駄運転判定部３４３は、特定したエリア情報に対応する扉窓識別情報を同じくエリア設定データ３７０から特定する。無駄運転判定部３４３は、空調機器設置位置情報３８２を読み込み、無駄運転状態であると判定した空調機器を示す空調機器識別情報に対応する空調機器設置座標を取得する。また、無駄運転判定部３４３は、扉窓位置情報３８４を読み込み、扉や窓の位置を示す複数の座標のうち、取得した空調機器設置座標との距離が最も短い座標を特定する。無駄運転判定部３４３は、特定した座標に位置する扉や窓を、無駄運転の要因となっている扉や窓として推定し、特定した座標により示される位置を、無駄運転の要因となっている扉や窓の位置として推定する。
【００５６】
無駄運転判定部３４３は、この処理を無駄運転状態であると判別した空調機器１００毎に行い、無駄運転の要因となっている扉や窓、及びその位置を推定する。
【００５７】
無駄運転通知部３４４は、空調機器接続情報３６１に基づいて、無駄運転判定部３４３により無駄運転状態であると判別された空調機器１００に接続されているリモコン１１０に、無駄運転の発生とその要因となっている扉や窓の位置を通知する。
【００５８】
具体的には、無駄運転通知部３４４は、無駄運転判定部３４３により推定された無駄運転の要因となっている扉や窓が、部屋（エリア）のどの方向に位置するかを、無駄運転判定部３４３により推定された扉や窓の位置を示す座標に基づいて、後述するように特定する。また、無駄運転通知部３４４は、空調機器接続情報３６１に含まれる操作グループ番号を読み込み、無駄運転判定部３４３により無駄運転状態であると判別された空調機器１００を示す空調機器識別情報に対応するリモコン１１０を特定する。そして無駄運転通知部３４４は、当該空調機器１００が無駄運転状態であること、及び無駄運転の要因となっている扉や窓が部屋（エリア）のどの方向に位置するかを、特定したリモコン１１０に通知する。
【００５９】
ここで、無駄運転通知部３４４により推定された無駄運転の要因となっている扉や窓が、部屋（エリア）のどの方向に位置するかを特定する処理について、図５を参照して説明する。
【００６０】
無駄運転通知部３４４は、部屋領域情報３８３により示される部屋の領域を示す座標群データ（Ｘｃ，Ｙｃ）を用いて、部屋の領域を図示するように９分割する。分割は、部屋の領域を示す全ての線分を３等分することにより行う。無駄運転通知部３４４は、分割された各領域にラベルを割り付ける。ラベルは、図示するように方角を示す名称であってもよいし、通し番号であってもよい。また、無駄運転通知部３４４は、分割後の各領域の角の座標を算出する。
【００６１】
無駄運転通知部３４４は、無駄運転判定部３４３により推定された無駄運転の要因となっている扉や窓の座標データ（ｘｂ，ｙｂ）が、分割された領域のうちのいずれの領域に含まれるかを特定する。特定は、分割された領域毎に、扉や窓の座標データと分割後の各領域の角の座標とを順に比較して、扉や窓の座標データが分割後の領域に含まれるか否か判定する。無駄運転通知部３４４は、無駄運転判定部３４３により推定された無駄運転の要因となっている扉や窓毎にこの処理を行い、無駄運転の要因となっている扉や窓が、部屋（エリア）のどの方向に位置するかを特定する。
【００６２】
無駄運転通知部３４４は、特定した領域に割り付けられたラベルを取得して、そのラベルを、要因位置情報としてリモコン１１０への通知内容に含める。そして無駄運転通知部３４４は、無駄運転が発生していることを示す無駄運転発生情報を生成し、これをリモコン１１０への通知内容に含める。無駄運転通知部３４４は、無駄運転が発生していることを示す無駄運転発生情報と、その要因となっている扉や窓の位置を示す要因位置情報を含む通知内容を、特定したリモコン１１０に通知する。
【００６３】
以上が本実施形態に係る空調管理装置３００の構成である。
【００６４】
次に、空調管理システム１０における空調管理装置３００の動作について、図６乃至図９を参照して説明する。
【００６５】
空調管理装置３００における空調管理処理には、図６に示すように、エリア設定データ３７０を作成するエリア設定データ作成処理、無駄運転状態の有無を判別する無駄運転判別処理、無駄運転状態であること及びその要因であると推定される窓や扉の位置を通知する無駄運転通知処理が含まれる。空調管理処理は、図示するようにまずエリア設定データ作成処理が行われ（ステップＳ１００）、その後無駄運転判別処理（ステップＳ２００）、無駄運転通知処理（ステップＳ３００）の順に実行される。
【００６６】
まず、エリア設定データ作成処理について、図７を参照して説明する。エリア設定データ作成処理は、ユーザの入力操作により、平面図情報３８１、空調機器設置位置情報３８２、部屋領域情報３８３、及び、扉窓位置情報３８４、が登録又はそれらの全部又は一部が更新されることにより開始される。
【００６７】
空調管理装置３００は、エリア設定導出部３４２の機能により、空調機器設置位置情報３８２を読み込み、複数の空調機器１００のうち、未処理の一の空調機器１００の座標を特定する（ステップＳ１０１）。空調管理装置３００は、平面図情報３８１に示される平面図上の角の位置を示す座標と特定した空調機器１００の空調機器設置座標を結ぶ線分が、部屋領域情報３８３により示される領域を形成する４つの線分のうち、未処理の一の線分と交差するか否かを判別する（ステップＳ１０２）。
【００６８】
交差すると判別した場合（ステップＳ１０２；Ｙｅｓ）、空調管理装置３００は、交差数をカウントする（ステップＳ１０３）。一方交差しないと判別した場合（ステップＳ１０２；Ｎｏ）、空調管理装置３００は特に処理を行わない。
【００６９】
続いて空調管理装置３００は、領域を形成する全ての線分について判別したか否かを判定する（ステップＳ１０４）。全ての線分について判別したと判定しない場合（ステップＳ１０４；Ｎｏ）、空調管理装置３００は、ステップＳ１０２に戻りこの動作を繰り返す。
【００７０】
一方、全ての線分について判別したと判定した場合（ステップＳ１０４；Ｙｅｓ）、空調管理装置３００は、カウントした交差数が奇数か否かを判定する（ステップＳ１０５）。交差数が奇数であると判定した場合（ステップＳ１０５；Ｙｅｓ）、空調管理装置３００は、部屋領域情報３８３により示されるエリア情報と当該空調機器１００を対応付けてエリア設定データ３７０を作成する（ステップＳ１０６）。一方、交差数が奇数でないと判定した場合（ステップＳ１０５；Ｎｏ）、空調管理装置３００は、特に処理を行わない。
【００７１】
空調管理装置３００は、空調機器設置位置情報３８２により示される全ての空調機器１００につきこの動作が行われたか否かを判定する（ステップＳ１０７）。全ての空調機器１００についてこれらの動作が行われたと判定されなかった場合（ステップＳ１０７；Ｎｏ）、空調管理装置３００は、ステップＳ１０１に戻り、他の未処理の空調機器１００の座標を特定し、これらの動作を繰り返し実行する。
【００７２】
一方、全ての空調機器１００についてこの動作が行われたと判定された場合（ステップＳ１０７；Ｙｅｓ）、空調管理装置３００は、扉窓位置情報３８４を読み込み、複数の扉や窓のうち、未処理の一の扉や窓の座標を特定する（ステップＳ１０８）。空調管理装置３００は、平面図情報３８１に示される平面図上の角の位置を示す座標と特定した扉や窓を結ぶ線分が、部屋領域情報３８３により示される領域を形成する４つの線分のうち、未処理の一の線分と交差するか否かを判別する（ステップＳ１０９）。
【００７３】
交差すると判別した場合（ステップＳ１０９；Ｙｅｓ）、空調管理装置３００は、交差数をカウントする（ステップＳ１１０）。一方、交差しないと判別した場合（ステップＳ１０９；Ｎｏ）、空調管理装置３００は特に処理を行わない。
【００７４】
続いて空調管理装置３００は、領域を形成する全ての線分について判別したか否かを判定する（ステップＳ１１１）。全ての線分について判別したと判定した場合（ステップＳ１１１；Ｙｅｓ）、空調管理装置３００は、カウントした交差数が奇数か否かを判定する（ステップＳ１１２）。交差数が奇数であると判定した場合（ステップＳ１１２；Ｙｅｓ）、空調管理装置３００は、当該窓や扉を部屋領域情報３８３により示されるエリア情報と対応付け、ステップＳ１０６で作成したエリア設定データ３７０を更新する（ステップＳ１１３）。
【００７５】
空調管理装置３００は、扉窓位置情報３８４により示される全ての扉や窓につきこれらの動作が行われたか否かを判定する（ステップＳ１１４）。全ての扉や窓につきこの動作が行われたと判定した場合（ステップＳ１１４；Ｙｅｓ）、空調管理装置３００は、エリア設定データ作成処理を終了する。
【００７６】
一方、全ての扉や窓についてこの動作が行われたと判定されなかった場合（ステップＳ１１４；Ｎｏ）、空調管理装置３００は、ステップＳ１０８に戻り、他の扉や窓の座標を特定し、これらの動作を繰り返し実行する。
【００７７】
次に、無駄運転判別処理について、図８を参照して説明する。無駄運転判別処理は、エリア設定データ作成処理によりエリア設定データ３７０が作成された後、図示しない内部タイマにより所定時間が経過する度に開始される。
【００７８】
空調管理装置３００は、無駄運転判定部３４３に機能により、各空調機器１００から運転状態データを取得し、空調機器運転状態データ３６２として登録する（ステップＳ２０１）。
【００７９】
続いて空調管理装置３００は、複数の空調機器１００のうち、未処理の一の空調機器について、空調機器運転状態データ３６２にそれぞれ含まれる室内温度と設定温度との差分絶対値を算出する（ステップＳ２０２）。そして無駄運転判定設定データ３９０に含まれる温度閾値３９１と算出した値とを比較する（ステップＳ２０３）。
【００８０】
空調管理装置３００は、算出した差分絶対値が温度閾値３９１を超えており（ステップＳ２０３；Ｙｅｓ）、かつ空調機器運転状態データ３６２により当該空調機器１００が運転状態であると示される場合（ステップＳ２０４；Ｙｅｓ）、無駄運転カウンタをインクリメントする（ステップＳ２０５）。
【００８１】
一方、温度閾値３９１以下、あるいは空調機器運転状態データ３６２により当該空調機器１００が運転状態ではあると示されていない場合（ステップＳ２０４；Ｎｏ）、空調管理装置３００は、無駄運転カウンタを０にリセットする（ステップＳ２０６）。
【００８２】
次に、空調管理装置３００は、無駄運転カウンタが無駄運転カウンタ閾値３９２を超えたか否か判定する（ステップＳ２０７）。そして空調管理装置３００は、無駄運転カウンタ閾値３９２を超えたと判定した場合（ステップＳ２０７；Ｙｅｓ）、当該空調機器１００が無駄運転状態であると判別し、無駄運転カウンタを０にリセットする（ステップＳ２０８）。
【００８３】
次に空調管理装置３００は、空調機器設置位置情報３８２により示される全ての空調機器１００につきこの動作が行われたか否かを判定する（ステップＳ２０９）。全ての空調機器１００についてこの動作が行われたと判定されなかった場合（ステップＳ２０９；Ｎｏ）、空調管理装置３００は、ステップＳ２０２に戻り、他の空調機器１００について上記の動作を繰り返し実行する。
【００８４】
一方、全ての空調機器１００につきこの動作が行われたと判定された場合（ステップＳ２０９；Ｙｅｓ）、空調管理装置３００は、エリア設定データ３７０を読み込み、無駄運転状態であると判別した一又は複数の空調機器１００のうち、一の空調機器１００が存在するエリアを特定する（ステップＳ２１０）。
【００８５】
そして空調管理装置３００は、この特定したエリアに存在する扉や窓を同じくエリア設定データ３７０から特定し（ステップＳ２１１）、空調機器設置位置情報３８２に基づいて空調機器設置座標を取得する（ステップＳ２１２）。空調管理装置３００は、扉窓位置情報３８４を読み込み、取得した空調機器設置座標との距離が最も短い扉窓設置座標を特定する（ステップＳ２１３）。
【００８６】
空調管理装置３００は、特定した扉窓設置座標に位置する扉や窓を、無駄運転の要因となっている扉や窓として推定し、その座標により示される位置を、無駄運転の要因となっている扉や窓の位置として特定する（ステップＳ２１４）。
【００８７】
空調管理装置３００は、ステップＳ２０８で無駄運転であると判別した全ての空調機器１００につきこの動作が行われたか否かを判定する（ステップＳ２１５）。全ての空調機器１００についてこの動作が行われたと判定されなかった場合（ステップＳ２１５；Ｎｏ）、空調管理装置３００は、ステップＳ２１０に戻り、無駄運転状態の他の空調機器１００について上記の動作を繰り返し実行する。
【００８８】
一方、ステップＳ２０８で無駄運転であると判別した全ての空調機器１００につきこの動作が行われたと判定した場合（ステップＳ２１５；Ｙｅｓ）、空調管理装置３００は、無駄運転判別処理を終了する。
【００８９】
続いて、無駄運転通知処理について、図９を参照して説明する。無駄運転通知処理は、無駄運転判別処理によって空調機器が無駄運転状態であると判別される度に、無駄運転判別処理の終了後に続けて開始される。
【００９０】
空調管理装置３００は、無駄運転通知部３４４の機能により、空調機器接続情報３６１に含まれる操作グループ番号を読み込み、無駄運転判別処理で無駄運転状態であると判別された一又は複数の空調機器１００のうち、一の空調機器１００に接続されているリモコン１１０を特定する（ステップＳ３０１）。
【００９１】
空調管理装置３００は、部屋領域情報３８３により示される部屋の領域を示す座標群データ（Ｘｃ，Ｙｃ）を用いて、部屋の領域を分割し、分割した各領域にラベルを割り付ける（ステップＳ３０２）。
【００９２】
空調管理装置３００は、無駄運転判別処理で推定された無駄運転の要因となっている一又は複数の扉や窓のうち、一の扉や窓の座標データが、分割された領域のうちのいずれの領域に含まれるかを特定する（ステップＳ３０３）。続いて空調管理装置３００は、特定した領域に割り付けられたラベルを取得し、そのラベルを要因位置情報としてリモコン１１０への通知内容に含める（ステップＳ３０４）。
【００９３】
空調管理装置３００は、無駄運転判別処理で無駄運転の要因として推定された全ての扉や窓につきこの動作が行われたか否かを判定する（ステップＳ３０５）。全ての扉や窓についてこの動作が行われたと判定されなかった場合（ステップＳ３０５；Ｎｏ）、空調管理装置３００は、ステップＳ３０３に戻り、他の扉や窓について上記の動作を実行する。一方、全ての扉や窓についてこの動作が行われたと判定された場合（ステップＳ３０５；Ｙｅｓ）、空調管理装置３００は、無駄運転が発生していることを示す無駄運転発生情報を生成し、通知内容に含める（ステップＳ３０６）。
【００９４】
そして空調管理装置３００は、無駄運転発生情報と要因位置情報を含む通知内容を、ステップＳ３０１で特定したリモコン１１０に通知する（ステップＳ３０７）。これによりリモコン１１０は通知内容をユーザに表示する。
【００９５】
空調管理装置３００は、無駄運転判別処理で無駄運転状態であると判別した全ての空調機器１００につきこの動作が行われたか否かを判定する（ステップＳ３０８）。全ての空調機器１００についてこの動作が行われたと判定されなかった場合（ステップＳ３０８；Ｎｏ）、空調管理装置３００は、ステップＳ３０１に戻り、他の無駄運転状態の空調機器１００について上記動作を実行する。一方、無駄運転状態の全ての空調機器１００についてこの動作が行われたと判定された場合（ステップＳ３０８；Ｙｅｓ）、空調管理装置３００は、無駄運転通知処理を終了する。
【００９６】
以上が、空調管理装置３００の動作を中心とした空調管理システム１０の動作の動作である。
【００９７】
このように、空調管理装置３００によれば、各部屋に含まれる空調機器１００、扉、窓をグループ化し、そのグループに含まれる空調機器１００が無駄運転状態であるか否かを付加的な設備を要することなく判定する。そして無駄運転状態であると判定された場合、無駄運転状態であることを当該空調機器１００に接続されているリモコン１１０に通知する。これによりユーザは無駄運転状態であることを早期に知ることができ、無駄運転の早期解消に寄与し、省電力化を促進することができる。
さらに、空調管理装置３００によれば、無駄運転の要因となる扉や窓を推定し、その位置と無駄運転が行われていることを、当該空調機器１００に対応付けられているリモコン１１０に通知する。これにより、無駄運転状態であること、及び、無駄運転の要因と判定された扉や窓が部屋のどの方向に位置するかを、ユーザに通知することができる。従って無駄運転の早期解消に寄与し、省電力化を促進することができる。さらに、ユーザに無駄運転防止の意識を持たせることができる。また、空調機器設置位置情報３８２、部屋領域情報３８３、扉窓位置情報３８４が変更された場合でも、自動的にエリア設定データ３７０が再作成されるため、動作不備を防止することができる。
【００９８】
（実施形態２）
上記実施形態１では、部屋領域情報３８３、扉窓位置情報３８４が予め補助記憶部３５０に格納されている例を示したが、これらの情報は、初期設定作業者により入力部３２０から登録される。そのため、フロア数の多いビル等では、これらの情報を登録する作業の負担が増大する可能性がある。
【００９９】
そこで、各種情報登録における作業負担を軽減するため、本実施形態に係る空調管理装置は、実施形態１に係る空調管理機能に加えて、予め登録されている平面図情報３８１に基づいて、部屋領域情報３８３及び扉窓位置情報３８４を生成する情報生成機能を備えている。
【０１００】
図１０に示すように、空調管理装置５００の補助記憶部３５０には、実施形態１の構成に加えて、情報生成プログラム３５７、扉テンプレート画像４１０、窓テンプレート画像４２０、がさらに記憶されている。また、空調管理装置５００は、情報生成プログラム３５７により提供される主要な機能部として、実施形態１の構成に加えて、部屋情報導出部３４６をさらに備えている。なお、空調管理システム２０に含まれる空調管理装置５００以外の構成は、実施形態１と同様である。
【０１０１】
情報生成プログラム３５７は、情報生成機能を実現するための一連の動作が記述されたプログラムである。
扉テンプレート画像４１０は、扉を示す画像であり、窓テンプレート画像４２０は、窓を示す画像である。
【０１０２】
部屋情報導出部３４６は、補助記憶部３５０に格納されている平面図情報３８１を解析して部屋領域情報３８３と扉窓位置情報３８４を生成し、生成したこれらの情報を補助記憶部３５０に格納する。
【０１０３】
部屋領域情報３８３を生成する処理について説明する。部屋情報導出部３４６は、平面図情報３８１により表されるフロア毎の平面画像の色を、画素単位で解析し、頻繁に利用されている色を背景色として認識する。ここでは最も多く利用されている色を背景色として認識することとする。そして部屋情報導出部３４６は、平面画像を列単位及び行単位に分けて色相を解析する。
【０１０４】
具体的には、部屋領域情報３８３は、判定したい画素の色相と背景色の色相との距離が、予め補助記憶部３５０に記憶されている閾値以上で、かつ当該色相が連続しているか否かを判定する。そして部屋領域情報３８３は、閾値以上でかつ当該色相が連続していると判定した画素を抽出し、部屋の領域を示す境界線の画素として特定する。例えば、判定したい画素の色相を（Ｒ，Ｇ，Ｂ）とし、背景色の画素の色相を（Ｒ０，Ｇ０，Ｂ０）とすると、この間の距離は、（（Ｒ−Ｒ０）２＋（Ｇ−Ｇ０）２＋（Ｂ−Ｂ０）２）１／２で算出される。部屋情報導出部３４６は、この処理を平面図における行単位及び列単位で行い、横の境界線及び縦の境界線をそれぞれ特定する。そして部屋情報導出部３４６は、特定した横と縦の境界線で閉じられる領域を部屋として判別する。
【０１０５】
部屋情報導出部３４６は、縦の境界線としても横の境界線としても特定された画素の座標を部屋の頂点座標と判断する。そして部屋情報導出部３４６は、図１１に示す例のように、ある頂点座標（例えばＸ０，Ｙ０）を起点として（基準座標）、ｘ方向に隣り合う頂点座標（例えばＸ１，Ｙ０）を選択する。そしてこの選択された頂点座標を起点にｙ方向に隣り合う頂点座標（例えば、Ｘ１，Ｙ１）を選択する。部屋情報導出部３４６は、この選択された頂点座標を起点に、ｘ方向でかつ基準座標の方向に隣り合う頂点座標（例えばＸ２，Ｙ１）を選択する。そしてこの選択された頂点座標を起点に、ｙ方向でかつ基準座標の方向に隣り合う頂点座標（例えばＸ２，Ｙ２）を選択する。部屋情報導出部３４６は、頂点座標を選択する度に、選択した頂点座標と基準座標とが一致するか否かを判定し、一致したと判定した場合、これまでに選択した頂点座標群を部屋領域情報３８３へ順番に登録する。一方、選択した頂点座標が基準座標と一致しないと判定した場合、部屋情報導出部３４６は、頂点座標の選択を繰り返す。
【０１０６】
ここで、図１１に示す例では、頂点座標（Ｘ２，Ｙ２）は基準座標（Ｘ０，Ｙ０）と等しいため、部屋情報導出部３４６は、これまでに選択した頂点座標（（Ｘ０，Ｙ０）、（Ｘ１，Ｙ０）、（Ｘ１，Ｙ１）、（Ｘ０，Ｙ１））を部屋領域情報３８３へ順番に登録する。
【０１０７】
部屋情報導出部３４６は、平面図情報３８１により示されるフロア毎の各平面図について上記の処理を行うことで、部屋領域情報３８３を生成する。
【０１０８】
次に、扉窓位置情報３８４を生成する処理について説明する。部屋情報導出部３４６は、例えばテンプレートマッチング法を用いて扉窓位置情報３８４を生成する。部屋情報導出部３４６は、平面図情報３８１により示されるフロアの平面図の画像データを読み込み、所定の画素（例えば（０，０））を基点に扉テンプレート画像４１０と同サイズの画像を切り出す。そして部屋情報導出部３４６は、切り出した画像と扉テンプレート画像４１０を比較する。
【０１０９】
ここで、切り出した画像と扉テンプレート画像４１０との比較について説明する。部屋情報導出部３４６は、切り出した画像の画素と、これに対応する扉テンプレート画像４１０の画素をそれぞれ抽出し、これらの色相を比較して色相が一定以上近いか否かを判定する。判定は、予め補助記憶部３５０に格納されている閾値を用いて行い、例えば、扉テンプレート画像４１０の画素の色相を（Ｒ０，Ｇ０，Ｂ０）とし、判定したい画素の色相を（Ｒ，Ｇ，Ｂ）とすると、（（Ｒ−Ｒ０）２＋（Ｇ−Ｇ０）２＋（Ｂ−Ｂ０）２）１／２により算出される値が閾値未満である場合、部屋情報導出部３４６は、色相が一定以上近いと判定する。色相が一定以上近いと判定した場合、部屋情報導出部３４６は、図示しない一致度カウンタをインクリメントする。なお、一致度カウンタは初期値として０が設定されている。
【０１１０】
部屋情報導出部３４６は、切り出した画像の各画素に対してこの処理を行う。そして予め補助記憶部３５０に格納されている閾値と一致度カウンタを比較し、一致度カウンタの示す値が閾値を超えたと判定した場合、部屋情報導出部３４６は、切り出した画像が扉を示すものであると判定する。そして部屋情報導出部３４６は、一致度カウンタをリセットし、所定の画素の座標を扉窓位置情報３８４として登録する。
【０１１１】
窓についても同様に、部屋情報導出部３４６は、平面図情報３８１により示されるフロアの平面図の画像データを読み込み、所定の画素（例えば（０，０））を基点に窓テンプレート画像４２０と同サイズの画像を切り出し、窓テンプレート画像４２０と比較する。そして一致度カウンタが閾値を超えたと判定した場合、部屋情報導出部３４６は、切り出した画像が窓を示すものであるとし、所定の画素の座標を扉窓位置情報３８４として登録する。
【０１１２】
部屋情報導出部３４６は、平面図情報３８１により示される画像データ中の各画素について上述の処理を実行し、扉窓位置情報３８４を生成する。
【０１１３】
以上が本実施形態に係る空調管理装置５００の構成である。
【０１１４】
次に、空調管理システム２０における空調管理装置５００の動作について、図１２乃至図１４を参照して説明する。なお、空調管理装置５００における空調管理処理については上記実施形態１と同様であるため、ここでは情報生成処理について説明する。
【０１１５】
情報生成処理は、ユーザの入力操作により平面図情報３８１が登録又は更新されることにより開始される。情報生成処理には、図１２に示すように、部屋領域情報３８３を生成する部屋領域情報生成処理（ステップＳ４００）と、扉窓位置情報３８４を生成する扉窓位置情報生成処理（ステップＳ５００）が含まれ、図示する順に実行される。
【０１１６】
まず、部屋領域情報生成処理について、図１３を参照して説明する。部屋領域情報生成処理は、ユーザの入力操作により、平面図情報３８１、空調機器設置位置情報３８２、が登録又はそれらの全部又は一部が更新されることにより開始される。
【０１１７】
空調管理装置５００は、部屋情報導出部３４６の機能により、平面図情報３８１により表されるフロア毎の平面画像の色を、画素単位で解析し、最も多く利用されている色を背景色として認識する（ステップＳ４０１）。
【０１１８】
そして空調管理装置５００は、平面画像中の判定したい画素の色相と背景色の色相との距離を算出する（ステップＳ４０２）。
【０１１９】
空調管理装置５００は、算出した距離と閾値とを比較し（ステップＳ４０３）、算出した距離が閾値以上である場合（ステップＳ４０３；Ｙｅｓ）、当該色相が連続しているか否かを判定する（ステップＳ４０４）。連続していると判定した場合（ステップＳ４０４；Ｙｅｓ）、空調管理装置５００は、当該画素を抽出し部屋の領域を示す境界線の画素として特定する（ステップＳ４０５）。一方、算出した距離が閾値未満である場合や（ステップＳ４０３；Ｎｏ）、連続していないと判定した場合（ステップＳ４０４；Ｎｏ）、空調管理装置５００は特に処理を行わない。
【０１２０】
空調管理装置５００は、この処理を行単位及び列単位で行い、横と縦の境界線を特定する（ステップＳ４０６）。そして空調管理装置５００は、平面図中の全ての行と列につきこの処理が行われたかを判定する（ステップＳ４０７）。全ての行と列についてこの処理が行われたと判定した場合（ステップＳ４０７；Ｙｅｓ）、空調管理装置５００は、特定した横と縦の境界線で閉じられる領域を部屋として判別する（ステップＳ４０８）。一方、全ての行と列についてこの処理が行われたと判定しない場合（ステップＳ４０７；Ｎｏ）、空調管理装置５００は、ステップＳ４０２に戻り、他の行又は列の画素についてこの処理を行う。
【０１２１】
次に、空調管理装置５００は、縦の境界線としても横の境界線としても特定された画素を部屋の頂点座標として特定し（ステップＳ４０９）、基準座標を起点として隣り合う頂点座標を順に選択する（ステップＳ４１０）。そして空調管理装置５００は、選択した頂点座標と基準座標を比較し（ステップＳ４１１）、一致する場合（ステップＳ４１１；Ｙｅｓ）、これまでに選択した頂点座標群を部屋領域情報３８３へ順に登録する（ステップＳ４１２）。一方、一致しない場合（ステップＳ４１１；Ｎｏ）、ステップＳ４１０に戻り、空調管理装置５００はこの処理を繰り返す。
【０１２２】
空調管理装置５００は、平面図情報３８１により示される各フロアの平面図についてこの処理が行われたか否かを判定する（ステップＳ４１３）。各フロアの平面図についてこの処理が行われたと判定した場合（ステップＳ４１３；Ｙｅｓ）、空調管理装置５００は、部屋領域情報３８３を補助記憶部３５０へ格納し、部屋領域情報生成処理を終了する。一方、各フロアの平面図についてこの処理が行われたと判定されない場合（ステップＳ４１３；Ｎｏ）、空調管理装置５００は、ステップＳ４０１に戻り、他のフロアの平面図についてこの処理を実行する。
【０１２３】
次に、扉窓位置情報生成処理について、図１４を用いて説明する。扉窓位置情報生成処理は、部屋領域情報生成処理に続けて開始される。
【０１２４】
空調管理装置５００は、部屋情報導出部３４６の機能により、平面図情報３８１より示される平面図の画像データから扉テンプレート画像４１０と同サイズの画像を切り出す（ステップＳ５０１）。
【０１２５】
空調管理装置５００は、切り出した画像の画素と扉テンプレート画像４１０の画素を比較し、色相が一定以上近いか否かを判定する（ステップＳ５０２）。色相が一定以上近いと判定した場合（ステップＳ５０２；Ｙｅｓ）、空調管理装置５００は、一致度カウンタをインクリメントする（ステップＳ５０３）。一方、色相が一定以上近いと判定されない場合（ステップＳ５０２；Ｎｏ）、空調管理装置５００は、特に処理を行わない。
【０１２６】
空調管理装置５００は、切り出した画像の各画素についてステップＳ５０２の処理が行われたか否かを判定する（ステップＳ５０４）。各画素について処理が行われていないと判定した場合（ステップＳ５０４；Ｎｏ）、空調管理装置５００は、ステップＳ５０２に戻り、他の画素について処理を行う。一方、各画素についてステップＳ５０２の処理が行われたと判定した場合（ステップＳ５０４；Ｙｅｓ）、空調管理装置５００は、一致度カウンタと閾値を比較する（ステップＳ５０５）。
【０１２７】
一致度カウンタの示す値が閾値を超えている場合（ステップＳ５０５；Ｙｅｓ）、空調管理装置５００は、一致度カウンタをリセットし、切り出した画像に含まれる所定の画素の座標を扉窓位置情報３８４として登録する（ステップＳ５０６）。一方、一致度カウンタの示す値が閾値以下である場合（ステップＳ５０５；Ｎｏ）、空調管理装置５００は、一致度カウンタをリセットする（ステップＳ５０７）。
【０１２８】
続いて空調管理装置５００は、画像データ中の各画素についてこれらの処理が行われたか否かを判定する（ステップＳ５０８）。画像データ中の各画素について処理が行われていないと判定した場合（ステップＳ５０８；Ｎｏ）、空調管理装置５００は、ステップＳ５０１に戻り、画像データ中の他の画素について処理を行う。一方、画像データ中の各画素についてこれらの処理が行われたと判定した場合（ステップＳ５０８；Ｙｅｓ）、空調管理装置５００は、平面図情報３８１より示される平面図の画像データから窓テンプレート画像４２０と同サイズの画像を切り出す（ステップＳ５０９）。
【０１２９】
空調管理装置５００は、切り出した画像の画素と窓テンプレート画像４２０の画素を比較し、色相が一定以上近いか否かを判定する（ステップＳ５１０）。色相が一定以上近いと判定した場合（ステップＳ５１０；Ｙｅｓ）、空調管理装置５００は、一致度カウンタをインクリメントする（ステップＳ５１１）。一方、色相が一定以上近いと判定されない場合（ステップＳ５１０；Ｎｏ）、空調管理装置５００は、特に処理を行わない。
【０１３０】
空調管理装置５００は、切り出した画像の各画素についてステップＳ５１０の処理が行われたか否かを判定する（ステップＳ５１２）。各画素について処理が行われていないと判定した場合（ステップＳ５１２；Ｎｏ）、空調管理装置５００は、ステップＳ５１０に戻り、他の画素について処理を行う。一方、各画素についてステップＳ５１０の処理が行われたと判定した場合（ステップＳ５１２；Ｙｅｓ）、空調管理装置５００は、一致度カウンタと閾値を比較する（ステップＳ５１３）。
【０１３１】
一致度カウンタの示す値が閾値を超えている場合（ステップＳ５１３；Ｙｅｓ）、空調管理装置５００は、一致度カウンタをリセットし、切り出した画像に含まれる所定の画素の座標を扉窓位置情報３８４として登録する（ステップＳ５１４）。一方、一致度カウンタの示す値が閾値以下である場合（ステップＳ５１３；Ｎｏ）、空調管理装置５００は、一致度カウンタをリセットする（ステップＳ５１５）。
【０１３２】
続いて空調管理装置５００は、画像データ中の各画素についてこれらの処理が行われたか否かを判定する（ステップＳ５１６）。画像データ中の各画素について処理が行われていないと判定した場合（ステップＳ５１６；Ｎｏ）、空調管理装置５００は、ステップＳ５０９に戻り、画像データ中の他の画素について処理を行う。一方、画像データ中の各画素についてこれらの処理が行われたと判定した場合（ステップＳ５１６；Ｙｅｓ）、空調管理装置５００は、生成した扉窓位置情報３８４を補助記憶部３５０に格納し、情報生成処理を終了する。
【０１３３】
以上が、空調管理装置５００の動作である。
【０１３４】
このように、本実施形態に係る空調管理装置５００は、補助記憶部３５０に格納される平面図情報３８１を解析し、部屋領域情報３８３、扉窓位置情報３８４を生成する。そして生成した部屋領域情報３８３、扉窓位置情報３８４を補助記憶部３５０に格納する。したがって空調管理装置５００によれば、無駄運転の早期解消に寄与し、省電力化を促進することができることに加え、各種情報登録におけるユーザの作業負担を軽減することができる。また、平面図情報３８１が更新された場合でも、これに対応した部屋領域情報３８３、扉窓位置情報３８４を生成するため、更新作業におけるユーザの負担も軽減することができる。
【０１３５】
（変形例）
この発明は、上記の実施形態に限定されず、種々の変形及び応用が可能である。上記実施形態では、空調管理装置３００、５００が空調機器１００を管理する例を示したが、これは一例である。空調管理装置３００、５００は、図示しない圧縮機等を含む熱源側ユニットと空調機器１００とを示す空気調和装置全体の管理を行うこともできる。これによれば、空調機器１００だけでなく、熱源側ユニットの運転状態や位置等も取得するため、より効果的に省電力化を促進することができる。
【０１３６】
上記実施形態では、無駄運転判定処理の終了後に無駄運転通知処理が行われる例を示したが、これは一例である。無駄運転通知処理は、無駄運転判定処理において無駄運転状態である空調機器１００が判別される度に無駄運転判定処理と並行して開始されてもよい。これによれば、無駄運転の早期解消により一層寄与することができる。
【０１３７】
上記実施形態では、無駄運転通知処理にて通知内容をリモコン１１０に通知する例を示したが、必ずしもこれに限定されない。通知内容の通知先は、リモコン１１０でなく、例えば居住者の所持する携帯電話等の移動体通信端末であってもよいし、またその両方であってもよい。さらに、通知にあたっては、アラーム音等を発生するようにしてもよい。これによれば、無駄運転の早期解消により一層寄与することができ、さらにはユーザに、より一層無駄運転防止の意識を持たせることができる。
【０１３８】
また、上記実施形態では、無駄運転通知処理にて、無駄運転の要因と推定された扉や窓が含まれる領域のラベルをリモコン１１０に通知する例を示したが、これは一例である。例えば、その扉や窓を含む部屋の平面図部分を平面図情報３８１から切り出し、そこに無駄運転要因の扉や窓のアイコンを、その座標データにより示される位置に表示するようにしてもよい。これによれば、無駄運転要因の扉や窓の位置関係が視認して把握できるため、ユーザはより簡単に無駄運転要因の扉や窓の位置を特定できる。その結果、無駄運転の早期解消により一層寄与することができる。
【０１３９】
上記実施形態では、各空調機器１００の位置情報を、空調機器設置位置情報３８２により示される平面図上の座標位置から特定する例を示したが、必ずしもこれに限定されない。例えば、各空調機器１００間の距離情報を空調機器１００自身がＵＷＢ（Ultra Wide Band）等により計測し、その結果を空調機器３００、５００が各空調機器１００から取得して各空調機器１００の位置を特定してもよい。これによれば、ユーザは空調機器設置位置情報３８２を空調機器３００、５００に事前に登録する必要がなくなり、事前作業にかかる負担を軽減することができる。
【０１４０】
また、上記実施形態では、エリア設定導出部３４２の機能により、平面図上の角を示す画素を用いて領域内に設置されている空調機器１００、扉、窓、を判定する例を示したが、これは一例である。領域内に含まれないことが明らかな位置でありさえすれば、平面図上の任意の画素を用いてもよい。
【０１４１】
上記実施形態では、無駄運転通知部３４４の機能により、部屋の領域を９分割し、これにより扉や窓が部屋のどの方向に位置するかを特定する例を示したが、これは一例である。部屋の領域の分割数は任意であり、また、部屋の領域に外接する四角形を作成し、この四角形を形成する全ての線分を３等分することで分割してもよい。
分割数が多いほど、無駄運転の要因となっている扉や窓が部屋のどの方向に位置するかをより詳細に特定することができる。
【０１４２】
本発明の実施形態にかかる空調管理機能を実現するための空調管理装置３００、５００は、専用のシステムによらず、通常のコンピュータシステムを用いて実現可能である。例えば、汎用コンピュータに、上述の処理を実行するための空調管理プログラム３５５を格納した媒体（CD-ROMなど）から当該プログラムをインストールすることにより、上述の処理を実行する空調管理装置３００、５００を構成することができる。
【０１４３】
また、上述の機能を、ＯＳ（Operating  System）とアプリケーションとの分担、またはＯＳとアプリケーションとの協同により実現する場合等には、ＯＳ以外の部分のみを媒体に格納してもよい。
【０１４４】
また、搬送波に空調管理プログラム３５５を重畳し、通信ネットワークを介して配信することも可能である。例えば、通信ネットワーク上の掲示板（BBS、Bulletin Board System）に当該プログラムを掲示し、ネットワークを介して当該プログラムを配信してもよい。そして、これらのプログラムを起動し、オペレーティングシステムの制御下で、他のアプリケーションプログラムと同様に実行することにより、上述の処理を実行できるように構成してもよい。
【０１４５】
上記実施形態２では、平面図情報３８１に基づいて部屋領域情報３８３及び扉窓位置情報３９４を生成する例を示したが、これは一例である。例えば、空調機器テンプレートを予め格納しておき、空調機器設置位置情報３８２を平面図情報３８１に基づいてされに生成するようにしてもよい。これによれば、ユーザの作業負担をさらに軽減することができる。
【０１４６】
上記実施形態２では、部屋情報導出部３４６の機能により、色相同士の距離を（（Ｒ−Ｒ０）２＋（Ｇ−Ｇ０）２＋（Ｂ−Ｂ０）２）１／２により算出する例を示したが、これは一例である。相対的な大きさがわかれば、（Ｒ，Ｇ，Ｂ）の各距離の和でなくてもよく、任意の算出手法であってもよい。例えば、平方根を用いず、（Ｒ−Ｒ０）２＋（Ｇ−Ｇ０）２＋（Ｂ−Ｂ０）２により算出してもよく、また背景色に応じて算出式を変更するようにしてもよい。
【０１４７】
また、上記実施形態２では、部屋情報導出部３４６の機能により、最も多く利用されている色を背景色として認識する例を示したが、必ずしもこれに限定されない。例えば、色相を所定の範囲に区切り、平面図中の画素が最も多く存在する色相の範囲を求め、その色相の範囲の中央値、またはその範囲内の色相の平均値を背景色としてもよい。これによれば、パソコンや空調機器３００で生成した画像データを平面図とするだけでなく、工事図面等を画像データ化したものを平面図とすることもできる。
【０１４８】
上記実施形態２では、部屋情報導出部３４６の機能により、横と縦の境界線で閉じられる領域を部屋として識別する例を示したが、これは一例である。例えば、斜めの境界線を示す画素についても特定し、斜めの境界線を含む領域を部屋として認識するようにしてもよい。これによれば、より詳細に部屋の形状を認識することができる。
【０１４９】
また、上記実施形態２では、部屋情報導出部３４６の機能により、テンプレートマッチング法を用いて画像データと各テンプレートの一致度合いを判定する例を示したが、これは一例である。実際の画像データと各テンプレートの一致度合いを判定することができれば、テンプレートマッチング法に限定されず、他の任意の手法を用いてもよい。
【０１５０】
上記実施の形態は、いずれも本発明の趣旨の範囲内で各種の変形が可能である。上記実施の形態は本発明を説明するためのものであり、本発明の範囲を限定することを意図したものではない。本発明の範囲は実施形態よりも添付した請求項によって示される。請求項の範囲内、および発明の請求項と均等の範囲でなされた各種変形は本発明の範囲に含まれる。
【産業上の利用可能性】
【０１５１】
本発明は、空調機等の設備を制御する装置として好適に採用され得る。
【符号の説明】
【０１５２】
１０    空調管理システム
２０    空調管理システム
１００  空調機器
１０２  温度センサ
１０３  主記憶部
１０４  補助記憶部
１０５  制御部
１０６  通信部
１０７  システムバス
１１０  リモコン
１１１  表示装置
１１２  入力装置
３００  空調管理装置
３１０  表示部
３２０  入力部
３３０  通信管理部
３４０  制御部
３４１  空調機器制御部
３４２  エリア設定導出部
３４３  無駄運転判定部
３４４  無駄運転通知部
３４５  主記憶部
３４６  部屋情報導出部
３５０  補助記憶部
３５５  空調管理プログラム
３５７  情報生成プログラム
３６０  空調機器データ
３６１  空調機器接続情報
３６２  空調機器運転状態データ
３７０  エリア設定データ
３８０  設置位置データ
３８１  平面図情報
３８２  空調機器設置位置情報
３８３  部屋領域情報
３８４  扉窓位置情報
３９０  無駄運転判定設定データ
３９１  温度閾値
３９２  無駄運転カウンタ閾値
３９９  システムバス
４００  空調機器アイコン
４０１  部屋領域ライン
４０２  扉アイコン
４０３  窓アイコン
４１０  扉テンプレート画像
４２０  窓テンプレート画像
５００  空調管理装置
【図１】
2012101787.tif 000003
【図２】
2012101787.tif 000004
【図３】
2012101787.tif 000005
【図４】
2012101787.tif 000006
【図５】
2012101787.tif 000007
【図６】
2012101787.tif 000008
【図７】
2012101787.tif 000009
【図８】
2012101787.tif 000010
【図９】
2012101787.tif 000011
【図１０】
2012101787.tif 000012
【図１１】
2012101787.tif 000013
【図１２】
2012101787.tif 000014
【図１３】
2012101787.tif 000015
【図１４】
2012101787.tif 000016
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
複数の空調機器と相互に通信可能に接続される空調管理装置であって、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における扉及び／又は窓の位置を示す扉窓位置情報と、前記複数の空調機器と前記扉と前記窓のそれぞれを、設置されるエリア毎にグループ化したエリア設定データと、を記憶する記憶部と、
前記複数の空調機器のそれぞれが無駄運転状態であるか否かを判定する無駄運転判定部と、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部とを備え、
前記無駄運転判定部は、前記記憶部で記憶されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知部は、前記無駄運転判定部で特定された扉及び／又は窓の位置をさらに通知する、
空調管理装置。
【請求項２】
複数の空調機器と相互に通信可能に接続される空調管理装置であって、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における扉及び／又は窓の位置を示す扉窓位置情報と、前記平面図中の複数のエリアそれぞれの位置を示す座標群を含む部屋領域情報と、を記憶する記憶部と、
前記部屋領域情報と前記空調機器位置情報と前記扉窓位置情報とに基づいて、前記部屋領域情報により示される複数のエリア毎にそれぞれ存在する前記空調機器と前記扉及び／又は窓を特定し、特定した前記空調機器と前記扉及び／又は窓を前記エリアに対応付けてエリア設定データを導出するエリア設定導出部と、
前記複数の空調機器のそれぞれが無駄運転状態であるか否かを判定する無駄運転判定部と、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部とを備え、
前記無駄運転判定部は、前記エリア設定導出部で導出されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知部は、前記無駄運転判定部で特定された扉及び／又は窓の位置をさらに通知する、
空調管理装置。
【請求項３】
前記平面図の各画素の色相に基づいて背景色を特定し、前記特定した背景色との差が閾値以上である画素群の座標を前記エリアの領域の座標群として部屋領域情報を導出し、前記平面図中の予め記憶されている画像と色相が等しい画素の位置を前記扉及び／又は窓の位置として前記扉窓位置情報を導出する部屋情報導出部をさらに備える、
請求項１または２に記載の空調管理装置。
【請求項４】
前記記憶部は、前記複数の空調機器が設置されているそれぞれの部屋の室内温度と前記複数の空調機器それぞれの設定温度を記憶し、
前記無駄運転判定部は、前記記憶部で記憶された前記室内温度と前記設定温度との差に基づいて前記空調機器が無駄運転状態であるか否かを判定する、
請求項１〜３のいずれか１項に記載の空調管理装置。
【請求項５】
前記無駄運転判定部は、前記室内温度と前記設定温度との差が所定の閾値以上である期間が所定期間以上継続した場合に、前記空調機器が無駄運転状態であると判定する、
請求項４に記載の空調管理装置。
【請求項６】
複数の空調機器と相互に通信可能に接続される空調管理装置による空調管理方法であって、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における扉及び／又は窓の位置を示す扉窓位置情報と、前記複数の空調機器と前記扉と前記窓のそれぞれを、設置されるエリア毎にグループ化したエリア設定データと、を取得する取得ステップと、
前記複数の空調機器のそれぞれが無駄運転状態であるか否かを判定する無駄運転判定ステップと、
前記無駄運転判定ステップで前記複数の空調機器の少なくとも一つが無駄運転状態であると判定された場合に、前記取得ステップで取得される接続情報に基づいて、該空調機器に接続される前記リモコンに該空調機器が無駄運転状態であることを通知する無駄運転通知ステップとを備え、
前記無駄運転判定ステップでは、前記取得ステップで取得されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知ステップでは、前記無駄運転判定ステップで特定された扉及び／又は窓の位置をさらに通知する、
空調管理方法。
【請求項７】
複数の空調機器と相互に通信可能に接続される空調管理装置による空調管理方法であって、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における扉及び／又は窓の位置を示す扉窓位置情報と、前記平面図中の複数のエリアそれぞれの位置を示す座標群を含む部屋領域情報と、を記憶する記憶ステップと、
前記部屋領域情報と前記空調機器位置情報と前記扉窓位置情報とに基づいて、前記部屋領域情報により示される複数のエリア毎にそれぞれ存在する前記空調機器と前記扉及び／又は窓を特定し、特定した前記空調機器と前記扉及び／又は窓を前記エリアに対応付けてエリア設定データを導出するエリア設定導出ステップと、
前記複数の空調機器のそれぞれが無駄運転状態であるか否かを判定する無駄運転判定ステップと、
前記無駄運転判定ステップで前記複数の空調機器の少なくとも一つが無駄運転状態であると判定された場合に、前記記憶ステップで記憶されている接続情報に基づいて、該空調機器に接続される前記リモコンに該空調機器が無駄運転状態であることを通知する無駄運転通知ステップとを備え、
前記無駄運転判定ステップでは、前記エリア設定導出ステップで導出されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知ステップでは、前記無駄運転判定ステップで特定された扉及び／又は窓の位置をさらに通知する、
空調管理方法。
【請求項８】
複数の空調機器と相互に通信可能に接続されるコンピュータを、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における扉及び／又は窓の位置を示す扉窓位置情報と、前記複数の空調機器と前記扉と前記窓のそれぞれを、設置されるエリア毎にグループ化したエリア設定データと、を記憶する記憶部、
前記複数の空調機器のそれぞれが無駄運転状態であるか否かを判定する無駄運転判定部、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部として機能させるプログラムであって、
前記無駄運転判定部は、前記記憶部で記憶されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知部は、前記無駄運転判定部で特定された扉及び／又は窓の位置をさらに通知する、
プログラム。
【請求項９】
複数の空調機器と相互に通信可能に接続されるコンピュータを、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における扉及び／又は窓の位置を示す扉窓位置情報と、前記平面図中の複数のエリアそれぞれの位置を示す座標群を含む部屋領域情報と、を記憶する記憶部、
前記部屋領域情報と前記空調機器位置情報と前記扉窓位置情報とに基づいて、前記部屋領域情報により示される複数のエリア毎にそれぞれ存在する前記空調機器と前記扉及び／又は窓を特定し、特定した前記空調機器と前記扉及び／又は窓を前記エリアに対応付けてエリア設定データを導出するエリア設定導出部、
前記複数の空調機器のそれぞれが無駄運転状態であるか否かを判定する無駄運転判定部、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部として機能させるプログラムであって、
前記無駄運転判定部は、前記エリア設定導出部で導出されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知部は、前記無駄運転判定部で特定された扉及び／又は窓の位置をさらに通知する、
プログラム。
【請求項１０】
請求項１乃至５のいずれか１項に記載の空調管理装置を備える空調システム。
【手続補正３】
【補正対象書類名】明細書
【補正対象項目名】０００１
【補正方法】変更
【補正の内容】
【０００１】
本発明は、空調管理装置、空調管理方法、空調システム、およびプログラムに関する。
【手続補正４】
【補正対象書類名】明細書
【補正対象項目名】０００７
【補正方法】変更
【補正の内容】
【０００７】
この発明は、上記実情に鑑みてなされたものであり、無駄運転の早期解消に寄与し、省電力化を促進することができる空調管理装置、空調管理方法、空調システム、およびプログラムを提供することを目的とする。
【手続補正５】
【補正対象書類名】明細書
【補正対象項目名】０００８
【補正方法】変更
【補正の内容】
【０００８】
上記目的を達成するために、本発明に係る空調管理装置は、
複数の空調機器と相互に通信可能に接続される空調管理装置であって、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における扉及び／又は窓の位置を示す扉窓位置情報と、前記複数の空調機器と前記扉と前記窓のそれぞれを、設置されるエリア毎にグループ化したエリア設定データと、を記憶する記憶部と、
前記複数の空調機器のそれぞれが無駄運転状態であるか否かを判定する無駄運転判定部と、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部とを備え、
前記無駄運転判定部は、前記記憶部で記憶されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知部は、前記無駄運転判定部で特定された扉及び／又は窓の位置をさらに通知する。
【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
複数の空調機器と相互に通信可能に接続される空調管理装置であって、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における複数の扉及び／又は複数の窓の位置を示す扉窓位置情報と、前記複数の空調機器と前記複数の扉と前記複数の窓のそれぞれを、設置されるエリア毎にグループ化したエリア設定データと、を記憶する記憶部と、
前記複数の空調機器のそれぞれが無駄運転状態であるか否かを判定する無駄運転判定部と、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部とを備え、
前記無駄運転判定部は、前記記憶部で記憶されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知部は、前記無駄運転判定部で特定された扉及び／又は窓の位置をさらに通知する、
空調管理装置。
【請求項２】
複数の空調機器と相互に通信可能に接続される空調管理装置であって、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における複数の扉及び／又は複数の窓の位置を示す扉窓位置情報と、前記平面図中の複数のエリアそれぞれの位置を示す座標群を含む部屋領域情報と、を記憶する記憶部と、
前記部屋領域情報と前記空調機器位置情報と前記扉窓位置情報とに基づいて、前記部屋領域情報により示される複数のエリア毎にそれぞれ存在する前記空調機器と前記扉及び／又は窓を特定し、特定した前記空調機器と前記扉及び／又は窓を前記エリアに対応付けてエリア設定データを導出するエリア設定導出部と、
前記複数の空調機器のそれぞれが無駄運転状態であるか否かを判定する無駄運転判定部と、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部とを備え、
前記無駄運転判定部は、前記エリア設定導出部で導出されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知部は、前記無駄運転判定部で特定された扉及び／又は窓の位置をさらに通知する、
空調管理装置。
【請求項３】
前記平面図の各画素の色相に基づいて背景色を特定し、前記特定した背景色との差が閾値以上である画素群の座標を前記エリアの領域の座標群として部屋領域情報を導出し、前記平面図中の予め記憶されている画像と色相が等しい画素の位置を前記扉及び／又は窓の位置として前記扉窓位置情報を導出する部屋情報導出部をさらに備える、
請求項１または２に記載の空調管理装置。
【請求項４】
前記記憶部は、前記複数の空調機器が設置されているそれぞれの部屋の室内温度と前記複数の空調機器それぞれの設定温度を記憶し、
前記無駄運転判定部は、前記記憶部で記憶された前記室内温度と前記設定温度との差に基づいて前記空調機器が無駄運転状態であるか否かを判定する、
請求項１〜３のいずれか１項に記載の空調管理装置。
【請求項５】
前記無駄運転判定部は、前記室内温度と前記設定温度との差が所定の閾値以上である期間が所定期間以上継続した場合に、前記空調機器が無駄運転状態であると判定する、
請求項４に記載の空調管理装置。
【請求項６】
複数の空調機器と相互に通信可能に接続される空調管理装置による空調管理方法であって、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における複数の扉及び／又は複数の窓の位置を示す扉窓位置情報と、前記複数の空調機器と前記複数の扉と前記複数の窓のそれぞれを、設置されるエリア毎にグループ化したエリア設定データと、を取得する取得ステップと、
前記複数の空調機器のそれぞれが無駄運転状態であるか否かを判定する無駄運転判定ステップと、
前記無駄運転判定ステップで前記複数の空調機器の少なくとも一つが無駄運転状態であると判定された場合に、前記取得ステップで取得される接続情報に基づいて、該空調機器に接続される前記リモコンに該空調機器が無駄運転状態であることを通知する無駄運転通知ステップとを備え、
前記無駄運転判定ステップでは、前記取得ステップで取得されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知ステップでは、前記無駄運転判定ステップで特定された扉及び／又は窓の位置をさらに通知する、
空調管理方法。
【請求項７】
複数の空調機器と相互に通信可能に接続される空調管理装置による空調管理方法であって、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における複数の扉及び／又は複数の窓の位置を示す扉窓位置情報と、前記平面図中の複数のエリアそれぞれの位置を示す座標群を含む部屋領域情報と、を記憶する記憶ステップと、
前記部屋領域情報と前記空調機器位置情報と前記扉窓位置情報とに基づいて、前記部屋領域情報により示される複数のエリア毎にそれぞれ存在する前記空調機器と前記扉及び／又は窓を特定し、特定した前記空調機器と前記扉及び／又は窓を前記エリアに対応付けてエリア設定データを導出するエリア設定導出ステップと、
前記複数の空調機器のそれぞれが無駄運転状態であるか否かを判定する無駄運転判定ステップと、
前記無駄運転判定ステップで前記複数の空調機器の少なくとも一つが無駄運転状態であると判定された場合に、前記記憶ステップで記憶されている接続情報に基づいて、該空調機器に接続される前記リモコンに該空調機器が無駄運転状態であることを通知する無駄運転通知ステップとを備え、
前記無駄運転判定ステップでは、前記エリア設定導出ステップで導出されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知ステップでは、前記無駄運転判定ステップで特定された扉及び／又は窓の位置をさらに通知する、
空調管理方法。
【請求項８】
複数の空調機器と相互に通信可能に接続されるコンピュータを、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における複数の扉及び／又は複数の窓の位置を示す扉窓位置情報と、前記複数の空調機器と前記複数の扉と前記複数の窓のそれぞれを、設置されるエリア毎にグループ化したエリア設定データと、を記憶する記憶部、
前記複数の空調機器のそれぞれが無駄運転状態であるか否かを判定する無駄運転判定部、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部として機能させるプログラムであって、
前記無駄運転判定部は、前記記憶部で記憶されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知部は、前記無駄運転判定部で特定された扉及び／又は窓の位置をさらに通知する、
プログラム。
【請求項９】
複数の空調機器と相互に通信可能に接続されるコンピュータを、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における複数の扉及び／又は複数の窓の位置を示す扉窓位置情報と、前記平面図中の複数のエリアそれぞれの位置を示す座標群を含む部屋領域情報と、を記憶する記憶部、
前記部屋領域情報と前記空調機器位置情報と前記扉窓位置情報とに基づいて、前記部屋領域情報により示される複数のエリア毎にそれぞれ存在する前記空調機器と前記扉及び／又は窓を特定し、特定した前記空調機器と前記扉及び／又は窓を前記エリアに対応付けてエリア設定データを導出するエリア設定導出部、
前記複数の空調機器のそれぞれが無駄運転状態であるか否かを判定する無駄運転判定部、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部として機能させるプログラムであって、
前記無駄運転判定部は、前記エリア設定導出部で導出されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知部は、前記無駄運転判定部で特定された扉及び／又は窓の位置をさらに通知する、
プログラム。
【請求項１０】
請求項１乃至５のいずれか１項に記載の空調管理装置を備える空調システム。
【手続補正２】
【補正対象書類名】明細書
【補正対象項目名】０００８
【補正方法】変更
【補正の内容】
【０００８】
上記目的を達成するために、本発明に係る空調管理装置は、
複数の空調機器と相互に通信可能に接続される空調管理装置であって、
前記複数の空調機器それぞれを操作するリモコンと、該リモコンに接続される前記空調機器を示す接続情報と、前記複数の空調機器が設置されるフロアの平面図と、該平面図上における該空調機器それぞれの設置位置を示す空調機器位置情報と、該平面図上における複数の扉及び／又は複数の窓の位置を示す扉窓位置情報と、前記複数の空調機器と前記複数の扉と前記複数の窓のそれぞれを、設置されるエリア毎にグループ化したエリア設定データと、を記憶する記憶部と、
前記複数の空調機器のそれぞれが無駄運転状態であるか否かを判定する無駄運転判定部と、
前記無駄運転判定部で前記複数の空調機器の少なくとも一つが無駄運転状態であると判定された場合に、前記記憶部で記憶されている接続情報に基づいて、該空調機器に接続される前記リモコンに該空調機器が無駄運転状態であることを通知する無駄運転通知部とを備え、
前記無駄運転判定部は、前記記憶部で記憶されたエリア設定データに基づいて、無駄運転状態であると判定した前記空調機器が設置されたエリア内の扉及び／又は窓を特定し、前記特定した扉及び／又は窓のうち、無駄運転状態であると判定した前記空調機器が無駄運転状態となる程度の位置に配置されている扉及び／又は窓の位置を前記空調機器位置情報と前記扉窓位置情報とに基づいてさらに特定し、
前記無駄運転通知部は、前記無駄運転判定部で特定された扉及び／又は窓の位置をさらに通知する。
【国際調査報告】
2012101787.tif 000017
2012101787.tif 000018